(57)【要約】【課題】  本発明は、ジョイスティック等の操作レバーの操作部を、操作位置と収納位置に保持できるように移動可能な構成にすることにより、他の方向指示手段の併設を可能とした操作装置を提供する。【解決手段】  操作レバー２ｂを有する方向指示手段２を備えた操作装置であって、前記方向指示手段２は、前記操作レバー２ｂを前記操作レバー２ｂの軸と直交する方向へ傾倒させる傾倒操作を行なう前記操作レバー２ｂの操作部２ａを有し、前記操作部２ａは、前記操作部２ａが操作装置本体から突出する操作位置と、前記操作部２ａの位置が前記操作位置よりも低い収納位置との間を移動可能に構成され、前記操作位置および前記収納位置に保持されることを特徴とする。【選択図】  図２
2005266972.tif 000002
【特許請求の範囲】
【請求項１】
操作レバーを有する方向指示手段を備えた操作装置であって、
前記方向指示手段は、前記操作レバーを前記操作レバーの軸と直交する方向へ傾倒させる傾倒操作を行なう前記操作レバーの操作部を有し、
前記操作部は、前記操作部が操作装置本体から突出する操作位置と、前記操作部の位置が前記操作位置よりも低い収納位置との間を移動可能に構成され、前記操作位置および前記収納位置に保持されることを特徴とする操作装置。
【請求項２】
前記操作部は、前記収納位置において前記傾倒操作が規制されることを特徴とする請求項１に記載の操作装置。
【請求項３】
前記操作装置本体の前記操作部の周囲に、方向指示ボタンが設けられていることを特徴とする請求項１または２に記載の操作装置。
【請求項４】
前記方向指示手段は、前記操作レバーの軸方向へ移動可能に設けられ、前記操作部は、前記方向指示手段の移動に伴って、前記操作位置と前記収納位置との間を移動することを特徴とする請求項１乃至３のいずれかに記載の操作装置。
【請求項５】
前記操作装置に対して回動可能な円筒形状の回動部材を有し、前記方向指示手段は、前記回動部材の回動に連動して前記操作レバーの軸方向へ移動することを特徴とする請求項４に記載の操作装置。
【請求項６】
前記方向指示手段の外周面および前記回動部材の円筒内周面にはそれぞれねじ溝が形成され、前記方向指示手段と前記回動部材は、前記ねじ溝の噛み合いにより連動することを特徴とする請求項５に記載の操作装置。
【請求項７】
前記方向指示手段の外周面にはカム溝が形成され、前記回動部材の円筒内周面には突起部が設けられ、前記方向指示手段と前記回動部材は、前記カム溝と前記突起部の係合により連動することを特徴とする請求項５に記載の操作装置。
【請求項８】
前記回動部材の円筒外周面にはギア歯が形成され、前記操作装置は、前記ギア歯と噛み合うギア部材を有し、前記回動部材は前記ギア部材の回動に連動して回動することを特徴とする請求項５乃至７のいずれかに記載の操作装置。
【請求項９】
前記ギア部材は、前記方向支持ボタンが設けられた回動可能な中空の円盤状の円盤部材として構成され、前記円盤部材の中空部内面には前記回動部材のギア歯と噛み合うギア歯が形成され、前記回動部材は前記円盤部材の回動に連動して回動することを特徴とする請求項８に記載の操作装置。
【請求項１０】
前記操作部は、前記操作レバーに対して前記操作レバーの軸方向へ移動可能に構成され、前記操作位置および前記収納位置に保持されることを特徴とする請求項１乃至３のいずれかに記載の操作装置。
【請求項１１】
前記操作部は前記操作レバーに嵌合する嵌合部を有し、前記嵌合部の内面および前記操作レバーの外面にはそれぞれ噛み合うようにねじ溝が形成され、前記操作部は、前記操作部の回動により、前記操作レバーに対して前記操作レバーの軸方向へ移動することを特徴とする請求項１０に記載の操作装置。
【請求項１２】
前記操作部は、前記操作位置および前記収納位置において、前記操作レバーを前記操作レバーの軸方向へ移動させる押込み操作が可能に構成され、前記押込み操作は、前記方向指示手段および前記方向指示ボタンのそれぞれの操作に関連することを特徴とする請求項３乃至１１のいずれかに記載の操作装置。
【発明の詳細な説明】
【技術分野】
【０００１】
本発明は、ジョイスティック等の操作レバーを有する方向指示手段が設けられた操作装置に関する。
【背景技術】
【０００２】
近年、テレビジョン受像機等の電子機器を遠隔操作するためのリモートコントロール装置（リモコン）等の操作装置には、リモコンの表示部またはテレビ画面等に表示されるメニュー等を選択するために、カーソル位置を上下左右等の方向に移動させることができるジョイスティックを備えた操作装置が存在する。カーソル位置を移動させるための手段としては、ジョイスティックの他に上下左右の各方向への操作を行なう方向指示ボタン等も用いられている（特許文献１）。
【特許文献１】特開２０００−４１７２号公報
【発明の開示】
【発明が解決しようとする課題】
【０００３】
しかしながら、ジョイスティックは、通常の操作ボタンとは異なり操作レバーを傾倒させて操作しなければならないので、操作に慣れていないユーザーにとっては使いづらいものであった。一方、ジョイスティックは、操作レバーから指を離さずに各方向への操作を行なうことができるので、操作に慣れているユーザーにとっては方向指示ボタンよりも使いやすいものであった。特許文献１に記載のリモコンは、ジョイスティックまたは方向指示ボタン等の方向指示手段をいずれか１つしか備えていないため、各ユーザーの要望を満足させることができないものであった。
本発明は、このような問題点に鑑みなされたものであり、ジョイスティック等の操作レバーの操作部を、操作位置と収納位置に保持できるように移動可能な構成にすることにより、他の方向指示手段の併設を可能とした操作装置を提供するものである。
【課題を解決するための手段】
【０００４】
本発明は、操作レバーを有する方向指示手段を備えた操作装置であって、前記方向指示手段は、前記操作レバーを前記操作レバーの軸と直交する方向へ傾倒させる傾倒操作を行なう前記操作レバーの操作部を有し、前記操作部は、前記操作部が操作装置本体から突出する操作位置と、前記操作部の位置が前記操作位置よりも低い収納位置との間を移動可能に構成され、前記操作位置および前記収納位置に保持されることを特徴とする。
前記操作部は、前記収納位置において前記傾倒操作が規制されることを特徴とする。
前記操作装置は、前記操作装置本体の前記操作部の周囲に、方向指示ボタンが設けられていることを特徴とする。
前記方向指示手段は、前記操作レバーの軸方向へ移動可能に設けられ、前記操作部は、前記方向指示手段の移動に伴って、前記操作位置と前記収納位置との間を移動することを特徴とする。
前記操作装置は、前記操作装置に対して回動可能な円筒形状の回動部材を有し、前記方向指示手段は、前記回動部材の回動に連動して前記操作レバーの軸方向へ移動することを特徴とする。
前記方向指示手段の外周面および前記回動部材の円筒内周面にはそれぞれねじ溝が形成され、前記方向指示手段と前記回動部材は、前記ねじ溝の噛み合いにより連動することを特徴とする。
前記方向指示手段の外周面にはカム溝が形成され、前記回動部材の円筒内周面には突起部が設けられ、前記方向指示手段と前記回動部材は、前記カム溝と前記突起部の係合により連動することを特徴とする。
前記回動部材の円筒外周面にはギア歯が形成され、前記操作装置は、前記ギア歯と噛み合うギア部材を有し、前記回動部材は前記ギア部材の回動に連動して回動することを特徴とする。
前記ギア部材は、前記方向支持ボタンが設けられた回動可能な中空の円盤状の円盤部材として構成され、前記円盤部材の中空部内面には前記回動部材のギア歯と噛み合うギア歯が形成され、前記回動部材は前記円盤部材の回動に連動して回動することを特徴とする。
前記操作部は、前記操作レバーに対して前記操作レバーの軸方向へ移動可能に構成され、前記操作位置および前記収納位置に保持されることを特徴とする。
前記操作部は前記操作レバーに嵌合する嵌合部を有し、前記嵌合部の内面および前記操作レバーの外面にはそれぞれ噛み合うようにねじ溝が形成され、前記操作部は、前記操作部の回動により、前記操作レバーに対して前記操作レバーの軸方向へ移動することを特徴とする。
前記操作部は、前記操作位置および前記収納位置において、前記操作レバーを前記操作レバーの軸方向へ移動させる押込み操作が可能に構成され、前記押込み操作は、前記方向指示手段および前記方向指示ボタンのそれぞれの操作に関連することを特徴とする。
【発明の効果】
【０００５】
本発明は、ジョイスティック等の操作レバーの操作部を、操作位置と収納位置に保持できるように移動可能な構成にすることにより、他の方向指示手段の併設を可能とした操作装置を提供することができる。
この構成によれば、ジョイスティック等の操作レバーの操作部を、その機能を必要としない場合に収納することにより操作面の突起形状を無くし、同一平面上にあるボタン等の他の操作手段の使用をより円滑にすることができる。
【発明を実施するための最良の形態】
【０００６】
次に、本発明の内容を詳細に説明するが、本発明はこれら実施の形態に何ら限定されるものではない。
【０００７】
図１は、本発明の実施の形態にかかる操作装置の外観構成図である。操作装置１は、テレビジョン受像機等を遠隔操作するためのリモコンであり、ジョイスティック２、方向指示ボタン３、その他電源ボタンやチャンネルボタン等が設けられている。ジョイスティック２および方向指示ボタン３は、テレビ画面に表示されるメニュー等の操作を行なうことができるように構成されている。なお、リモコンが液晶パネル等の表示部を備えている場合は、ジョイスティック２および方向指示ボタン３により、該表示部に表示されるメニュー等の操作を行なうように構成することもできる。
【０００８】
図２は、図１における操作装置１のＡ−Ａ断面の部分的構成図である。ジョイスティック２は、操作装置１の本体上部４から突出する操作部２ａ、操作レバー２ｂ、スイッチ類等が設けられた円柱形状の筐体部２ｃから構成されている。円筒形状の回動部材６は、外周部に設けられた凸部６ａが操作装置１の本体５の凹部５ａに係合して、上下方向の動きが規制された状態で回動可能に設けられている。回動部材６の円筒内周面にはねじ溝６ｂが形成され、ジョイスティック２の筐体部２ｃの外周面に形成されたねじ溝２ｄと噛み合うように構成されている。従って、回動部材６の底部に設けられた回動操作部６ｃを、操作装置１の本体底部Ｂの方向から回動させることにより、ジョイスティック２を上下方向に移動させることができる。図３は、操作部２ａが図２よりも下方に位置する状態を示す。このように、ジョイスティック２は、回動部材６の回動により、図２に示す操作位置と図３に示す収納位置との間を移動し、それぞれの位置で保持されるように構成されている。また、図２の操作位置では、操作部２ａは操作レバー２ｂの軸と直交する方向への傾倒操作が可能であるが、図３の収納位置では、操作部２ａは、操作装置１の本体５の規制部５ｂにより動きが規制され、傾倒操作ができないように構成されている。
【０００９】
以上の構成により、ジョイスティック２の使用を好むユーザーは、ジョイスティック２の操作部２ａを図２に示す操作位置の状態にして、ジョイスティック２を使用してテレビ画面等に表示されるメニュー等の選択を行なうことができる。また、ジョイスティック２の使用を好まないユーザーは、ジョイスティック２の操作部２ａを図３に示す収納位置の状態にして、操作部２ａの位置を低くすることにより、操作部２ａの突出部分がじゃまになることがなくなり、他の操作ボタンの操作をスムーズに行なうことができるようになる。
【００１０】
図３の収納位置では、ジョイスティック２の不使用時に、誤って操作部２ａの傾倒操作が行なわれないようにするために、操作部２ａの傾倒操作ができないように構成されているものである。従って、収納位置で操作部２ａが本体上部４から全く突出していない場合等は、誤操作の可能性が低いため、特に傾倒操作ができないような構成にしなくてもかまわない。
【００１１】
操作装置１には、図１に示すように、ジョイスティック２の周囲に上下左右を指示する方向指示ボタン３が設けられている。方向指示ボタン３も、ジョイスティック２と同様にテレビ画面等に表示されるメニュー等の選択を行なうことができるように構成されている。従って、ジョイスティック２の使用を好まないユーザーは、ジョイスティック２の操作部２ａを図３の収納位置の状態にすることにより、操作部２ａがじゃまにならずに方向指示ボタン３の操作を行なうことができる。このように、本発明によれば、ジョイスティック２と方向指示ボタン３の両方を操作装置１に設けて、ユーザーの好みに応じていずれか一方を選択して使用することができるものである。
【００１２】
図２、図３では、ジョイスティック２の筐体部２ｃおよび回動部材６の円筒内周面にはそれぞれ噛み合うねじ溝が設けられていたが、このような連動機構はねじ溝に限定されるものではなく、回転運動を直進運動に変換できる機構であれば適用できるものである。例えば、ジョイスティック２の筐体部２ｃの外周面に、図４に示すようにカム溝７を形成し、また、回動部材６には、図５に示すようにカム溝７にはまり込むピン８を設けるような構成にすることもできる。この構成においても、回動部材６を回動させてピン８が回動することにより、ジョイスティック２の筐体部２ｃはカム溝７に沿って上下に移動することができる。
【００１３】
図２、図３では、回動部材６の回動操作部６ｃを本体底部Ｂから回動させてジョイスティック２の上下移動を行なう構成であったが、他の手段を用いて回動部材６の回動を行なうようにすることもできる。例えば、図６は操作装置１の部分的な内部機構図であり、回動部材６の外周部にギア歯９が形成され、該ギア歯９と噛み合うギア部材１０、ギア部材１０と噛み合うギア操作部材１１が設けられている。ギア操作部材１１の一部を操作装置１の側面から突出する構成にして、ギア操作部材１１を指で回動操作することにより回動部材６を回動させ、ジョイスティック２の上下移動を行なうようにすることができる。なお、状況に応じて、ギア部材１０を複数設けてもよいし、ギア部材１０を直接ギア操作部材としてもよい。
【００１４】
また、図７に示すような構成にすることもできる。図７では、４つの各方向指示ボタン３は中空の円盤状の円盤部材１２上に設けられ、円盤部材１２は操作装置本体に対して回動可能に構成されている。円盤部材１２の中空部内周面にはギア歯１３が設けられ、回動部材６のギア歯９と噛み合う構成となっている。従って、円盤部材１２を回動して回動部材６を回動させることにより、ジョイスティック２を上下に移動させることができる。この構成によれば、回動部材６を回動させるための機構を新たに設ける必要がないので、部品点数の削減および省スペース化に寄与することができる。なお、図７の場合は、操作部２ａを操作位置と収納位置へ移動させるための円盤部材１２の回転角度は、９０度の倍数のいずれかになるように構成されている。円盤部材１２を回動することにより各方向指示ボタン３の位置が変化する場合は、回動位置に基づいて、各方向指示ボタン３の指示する方向を切換えるような構成にして対応することができる。
【００１５】
さらに、ジョイスティック２の操作部２ａは、操作レバー２ｂを軸方向へ押込むための押込み操作ができるように構成されていて、操作部２ａの押込み操作により、画面上で選択されているメニューの決定を行なうことができる。
従って、ジョイスティック２を使用して操作する場合は、操作部２ａを図２の操作位置にして、操作部２ａから指を離すことなく傾倒操作および押込み操作を行い、メニューの選択、決定を行なうことができるので、操作性が優れている。
また、方向指示ボタン３を使用して操作する場合は、操作部２ａを図３の収納位置にして、方向指示ボタン３でメニューの選択を行い、中央部にある操作部２ａの押込み操作によりメニューの決定を行なうことができる。一般的に、方向指示ボタンの決定ボタンは、方向指示ボタンの中央に配置されていることが多いので、通常の操作と同様に決定ボタンの操作を行なうことができるため、やはり操作性に優れているものである。また、このような構成により、方向指示ボタン３の決定ボタンを新たに設ける必要がないため、部品点数の削減にもつながるものである。
【００１６】
図２、図３は、ジョイスティック２全体が操作装置本体に対して上下動する構成であったが、操作部２ａのみを上下動させる構成にすることもできる。図８、図９にその構成を示す。図８は、操作部２０ａが操作位置にある状態を示すジョイスティック２０の断面図で、図９は操作部２０ａが収納位置にある状態を示すジョイスティック２０の断面図である。ジョイスティック２０は、図２、図３と同様に、操作部２０ａ、操作レバー２０ｂ、筐体部２０ｃから構成されている。操作部２０ａには、操作レバー２０ｂが嵌合する嵌合部２０ｄが設けられ、嵌合部２０ｄの内周面と操作レバーの外周面にはそれぞれ噛み合うねじ溝が形成されている。従って、操作部２０ａを回動させることにより、操作部２０ａは操作レバー２０ｂに対して上下動するので、操作部２０ａを移動して図８に示す操作位置と図９に示す収納位置とで保持することができる。なお、操作部２０ａと操作レバー２０ｂの連動機構は、ねじ溝に限定されるものではなく、カム溝とピン等のように他の機構でも適用可能である。
【図面の簡単な説明】
【００１７】
【図１】本発明の実施の形態にかかる操作装置の外観構成を示す図。
【図２】ジョイスティックの操作部が操作位置にあるときの、図１の操作装置のＡ−Ａ断面における部分的構成図。
【図３】ジョイスティックの操作部が収納位置にあるときの、図１の操作装置のＡ−Ａ断面における部分的構成図。
【図４】ジョイスティックの他の構成を示す図。
【図５】回動部材の他の構成を示す図。
【図６】ジョイスティックの他の移動機構を示す図。
【図７】ジョイスティックの他の移動機構を示す図。
【図８】ジョイスティックの他の構成を示す図。
【図９】ジョイスティックの他の構成を示す図。
【符号の説明】
【００１８】
１      操作装置
２      ジョイスティック（方向指示手段）
２ａ    操作部
２ｂ    操作レバー
２ｃ    筐体部
２ｄ    ねじ溝
３      方向指示ボタン
４      操作装置の本体上部
５      操作装置の本体
５ａ    凹部
５ｂ    規制部
６      回動部材
６ａ    凸部
６ｂ    ねじ溝
６ｃ    回動操作部
７      カム溝
８      ピン
９      ギア歯
１０    ギア部材
１１    ギア操作部材
１２    円盤部材
１３    ギア歯
２０    ジョイスティック（方向指示手段）
２０ａ  操作部
２０ｂ  操作レバー
２０ｃ  筐体部
２０ｄ  嵌合部
【図１】
2005266972.tif 000003
【図２】
2005266972.tif 000004
【図３】
2005266972.tif 000005
【図４】
2005266972.tif 000006
【図５】
2005266972.tif 000007
【図６】
2005266972.tif 000008
【図７】
2005266972.tif 000009
【図８】
2005266972.tif 000010
【図９】
2005266972.tif 000011